(57)【要約】【課題】流体の脈動による誤検出をなくした流体の流れ計測装置を提供することを目的とする。【解決手段】流体通路１を通過する流体の流速により循環軌道を廻るトリガ手段２と、そのトリガ手段２の位置を検出するトリガ位置検出部３と、前記トリガ手段２の通過により流速を検出する流速入力部４とを具備し、前記流速入力部４の検出にもとづき流体の流速およびまたは流量を測定するようにしたものである。したがって、流速入力部４が脈動などによるトリガ手段２の軌道方向へ振動に影響されずに流速検出を行うことができるため、流速およびまたは流量の誤検出が軽減し、その信頼性を向上させることができる。【選択図】  図１
2004333429.tif 000002
【特許請求の範囲】
【請求項１】
流体通路を通過する流体の流速により循環軌道を廻るトリガ手段と、そのトリガ手段の位置を検出するトリガ位置検出部と、前記トリガ手段の通過により流速を検出する流速入力部とを具備し、前記流速入力部の検出にもとづき流体の流速およびまたは流量を測定するようにした流体の流れ計測装置。
【請求項２】
２つのトリガ位置検出部とトリガ手段の廻る方向を判定する流れ方向判定部とを有する請求項１記載の流体の流れ計測装置。
【発明の詳細な説明】
【０００１】
【発明の属する技術分野】
本発明は、流体通路を通過する流体により循環軌道を廻るトリガ手段を用いた流体の流れ計測装置に関するものである。
【０００２】
【従来の技術】
従来、例えば、流体の流量計測装置は、図３に示されているように、流体通路２１を通過する流体の流速により循環軌道を廻るトリガ手段２２を設け、前記トリガ手段２２の通過により流速を検出する流速入力部２３とを具備し、流速入力部２３の検出結果にもとづいて流量演算部２４でそのときの流量を演算するように構成されてた。２５は流量演算部２４で演算した流量を報知する報知手段である（例えば特許文献１参照）。
【０００３】
流速を検出するトリガ手段２２としては、磁石などの磁性体を用いたものが考えられ、流速入力部２３には磁性体による磁界の変化によって磁界の変化を電気信号に変換する手段、例えばリードスイッチを用いていた。
【０００４】
【特許文献１】
特開２００１−３４９７５２号公報
【０００５】
【発明が解決しようとする課題】
しかしながら従来の流量計測装置は、トリガ手段２２が脈動などの流体の変動により、流速入力部２３付近で軌道方向へ振動してしまうと、流速入力部２３はトリガ手段２２を実際以上の回数通過したと誤検出をしてしまうことがあり、その結果、実際の流量以上を計測するようになって、流量計測装置の信頼度が低くなるという課題を有していた。
【０００６】
本発明は上記従来の課題を解決したものであり、信頼性の高い流体の流れ計測装置を提供することを目的とするものである。
【０００７】
【課題を解決するための手段】
本発明は上記課題を解決するために、流体通路を通過する流体の流速により循環軌道を廻るトリガ手段と、そのトリガ手段の位置を検出するトリガ位置検出部と、前記トリガ手段の通過により流速を検出する流速入力部とを具備し、前記流速入力部の検出にもとづき流体の流速およびまたは流量を測定するようにしたもので、流速入力部が脈動などによるトリガ手段の軌道方向へ振動に影響されずに流速の検出を行うことができる。
【０００８】
【発明の実施の形態】
本発明の実施の形態は、流体通路を通過する流体の流速により循環軌道を廻るトリガ手段と、そのトリガ手段の位置を検出するトリガ位置検出部と、前記トリガ手段の通過により流速を検出する流速入力部とを具備し、前記流速入力部の検出にもとづき流体の流速およびまたは流量を測定するようにしたものである。
【０００９】
したがって、流速入力部が脈動などによるトリガ手段の軌道方向へ振動に影響されずに流速検出を行うことができるため、流速およびまたは流量の誤検出が軽減し、その信頼性を向上させることができる。
【００１０】
また、２つのトリガ位置検出部とトリガ手段の廻る方向を判定する流れ方向判定部とを有するようにすれば、流速およびまたは流量の大きな変動によるトリガ手段の軌道方向へ大きなの振動が起きた場合でも、正確な計測ができることとなる。
【００１１】
【実施例】
以下、本発明の実施例について図面を用いて説明する。
【００１２】
（実施例１）
図１において、流体通路１には、循環軌道を磁石が廻るようにしたトリガ手段２が配置されている。
【００１３】
第一トリガ位置検出部３は上記トリガ手段２の磁石と反応する、例えばリードスイッチからなるものであり、この動作は流速入力部４で検出されるようにしてある。流量演算部５は流速入力部４の検出結果にもとづいて流体通路１を流れる流体流量を演算する。
【００１４】
６は報知手段、７は流量演算部５の演算結果を記録しておくための記録部、８は流量流量演算部５の演算結果をもとづく流量を報知手段６で報知し、しかも所定流量で流体通路１の遮断手段９を動作させる流量判定部である。
【００１５】
上記の構成において、流体通路１に流体が流れるとその流速に応じてトリガ手段２の磁石が循環軌道を廻る。
【００１６】
第一トリガ位置検出部３のリードスイッチは、前記トリガ手段２における磁石の位置を検出すると（例えば、磁界の変化を検出することにより位置を判断）、流速入力部４に流速入力許可信号Ｕ１を出力する。
【００１７】
前記流速入力部４が前記流速入力許可信号Ｕ１を受け取ると、前記トリガ手段２の検出を行い、検出した結果を流量演算部５に検出結果信号Ｕ２として出力する。
【００１８】
前記流量演算部５は前記検出結果信号Ｕ２を受け取ると検出結果に変化があった場合に流量としてカウントして演算を行うことで流量を計測する。
【００１９】
前記流量演算部５で計測した流量計測結果は流量計測結果信号Ｕ３として出力する。報知手段６（例えばＬＣＤやＬＥＤ）が前記流量計測結果信号Ｕ３を受け取ると流量結果を報知する。
【００２０】
また、記録部７が前記流量計測結果信号Ｕ３を受け取ると計測結果を記録したり積算したりすることができる。
【００２１】
さらに、流量判定部８が前記流量計測結果信号Ｕ３を受け取ると任意の流量値と流量判定を行い、前記報知手段６に報知信号Ｕ４を出力する。
【００２２】
前記報知手段６が前記報知信号Ｕ４を受け取ると外部に報知する。加えて、前記流量判定部８が所定流量値と判定した場合は、遮断手段９に遮断信号Ｕ５を出力し、流体通路１を制御または遮断する。
【００２３】
ただし、前記流速入力部４と前記第一トリガ位置検出部３の位置は、前記第一トリガ位置検出部３で前記トリガ手段２が検出可能な位置に対して前記トリガ手段２が想定される振動の振幅があっても必ず誤検出しない位置とする。
【００２４】
以上によれば、流速入力部４が脈動などによるトリガ手段２の軌道方向への振動で実際以上の回数通過したと誤検出するのをなくすことができる。
【００２５】
そのため、流量計測の精度が向上し、安価な構造であるトリガ手段２を用いた計測装置の信頼性を向上することが可能である。
【００２６】
また、ガス遮断装置などに応用すれば、より信頼性の高い計測を行いその保安機能を向上させることができる。
【００２７】
（実施例２）
図２において、１は流体通路、２はトリガ手段、３は第一トリガ位置検出部、４は流速入力部、５は流量演算部、６は報知手段、７は記録部、８は流量判定部、９は遮断手段であり、ここまでは実施例１と同じである。１０は流れ方向判定部であり、１１は第二トリガ位置検出部である。
【００２８】
流体通路１に流体が流れると、流れに応じてトリガ手段２の磁石が循環軌道を廻る。
【００２９】
第一トリガ位置検出部３のリードスイッチは前記トリガ手段２の位置を検出すると、流速入力部４に流量入力許可信号Ｕ１を出力し、流れ方向判定部１０に第一トリガ位置検出信号Ｕ６を出力する。
【００３０】
前記流速入力部４は前記流速入力許可信号Ｕ１を受け取ると前記トリガ手段２の検出を行い、検出した結果を流量演算部５に検出結果信号Ｕ２として出力する。
【００３１】
前記流れ方向判定部１０は前記第一流速トリガ位置検出信号Ｕ６を受け取ると前記トリガ手段２の動作中の方向を前記流量演算部５にトリガ手段方向信号Ｕ７として出力する。
【００３２】
第二トリガ位置検出部１１は、前記トリガ手段２の位置を検出すると（例えば、磁界の変化を検出することにより位置を判断）、前記流速入力部４に流速入力許可信号Ｕ１を出力し、前記流れ方向判定部１０に第二トリガ位置検出信号Ｕ８を出力する。
【００３３】
流れ方向判定部１０は第二トリガ位置検出信号Ｕ８を受け取るとトリガ手段２の動作中の方向を流量演算部５にトリガ手段方向信号Ｕ７として出力する。
【００３４】
流量演算部５は検出結果信号Ｕ２を受け取ると検出結果に変化があった場合にはトリガ手段方向信号Ｕ７により流れを一方の方向を正方向として加算としてカウントし、もう一方の方向であれば減算としてカウントして演算を行うことで流量を計測する。
【００３５】
流量演算部５で計測した流量計測結果は流量計測結果信号Ｕ３として出力する。報知手段６（例えばＬＣＤやＬＥＤ）が前記流量計測結果信号Ｕ３を受け取ると流量結果を報知する。
【００３６】
また、記録部７が前記流量計測結果信号Ｕ３を受け取ると計測結果を記録したり積算したりすることができる。
【００３７】
また、流量判定部８が前記流量計測結果信号Ｕ３を受け取ると任意の流量値と流量判定を行い、前記報知手段６に報知信号Ｕ４を出力する。前記報知手段６が前記報知信号Ｕ４を受け取ると外部に報知する。
【００３８】
また、前記流量判定部８で流量値との判定の結果によっては、遮断手段９（例えば弁）に遮断信号Ｕ５を出力する。遮断手段９が前記遮断信号Ｕ５を受け取ると前記流体通路１を制御または遮断する。
【００３９】
ただし、流速入力部４と第一トリガ位置検出部３の位置および第二トリガ位置検出部１１の位置は、前記第一トリガ位置検出部３および第二流量トリガ位置検出部１１で流速トリガ手段２が検出可能な位置に対して、前記トリガ手段２が想定される振動をしても必ず誤検出しない位置とする。
【００４０】
また、第二トリガ位置検出部１１は、前記トリガ手段２の軌道方向に対して第一トリガ位置検出部３から前記流速入力部４を挟んで位置する。
【００４１】
以上の実施例２により、流体の大きな変動による軌道方向へ大きな振動によって考えられる流速入力部４のトリガ手段２を実際以上の回数通過したと誤検出するのをなくすことができる。
【００４２】
そのため、流れ計測の精度が向上し、安価な構造であるトリガ手段を用いた流速およびまたは流量計測の信頼性を向上することが可能である。
【００４３】
また、ガス遮断装置などに応用すれば、より信頼性の高い計測を行い、保安機能を動作させることができる。さらに、流れ方向判定部により逆流した場合の流量の減算計測も可能となるため、より幅広い流体の計測が可能となる。
【００４４】
【発明の効果】
以上のように本発明の流れ計測装置によれば次の効果が得られる。
【００４５】
（１）流速入力部が、流体の圧力による脈動によるトリガ手段の実際以上の回数通過したと誤検知するのをなくすことができるため、安価な構造のトリガ手段を用いた流れ計測装置の精度と信頼性が向上し、幅広い分野での使用が可能となる（例えば、ガス遮断装置）。
【００４６】
（２）流体の大きな変動によるトリガ手段の実際以上の回数通過したと誤検知するのをなくし、双方向の流れ計測が可能なため、安価な構造のトリガ手段を用いた計測装置の精度と信頼性が向上し、幅広い分野での使用が可能となる（例えば、ガス遮断装置）。
【図面の簡単な説明】
【図１】本発明の実施例１における流れ計測装置の概要図
【図２】本発明の実施例２における流れ計測装置の概要図
【図３】従来の流れ計測装置の概要図
【符号の説明】
１  流体通路
２  トリガ手段
３  第一トリガ位置検出部
４  流速入力部
１０  流れ方向判定部
１１  第二トリガ位置検出部
【図１】
2004333429.tif 000003
【図２】
2004333429.tif 000004
【図３】
2004333429.tif 000005